(57)【要約】【課題】スポーツ吹矢において、矢の中に取り残された釘を容易に取り外すことのできる釘取り外し具を提供する。【解決手段】スポーツ吹矢用の矢の中に取り残された釘４ｅを取り外すための釘取り外し具１において、一端が先細りの円錐形であるとともに前記釘４ｅの胴部４ｆが挿通可能な第１開口２ａを有し、他端に前記第１開口２ａよりも径の大きい第２開口２ｂを有する筒体２と、前記第２開口２ｂから前記筒体２内に挿入されると前記第１開口２ａの近傍に到達可能な長さの棒状部分３ｂを有するとともに、前記棒状部分３ｂが前記釘４ｅと前記筒体２の内壁との間に挿入されるくさび部３ｃを備えた挿入具３とから構成されるようにした。【選択図】図１
0003128332.tif 000002
【実用新案登録請求の範囲】
【請求項１】
スポーツ吹矢用の矢の中に取り残された釘を取り外すための釘取り外し具において、
一端が先細りの円錐形であるとともに前記釘の胴部が挿通可能な第１開口を有し、他端に前記第１開口よりも径の大きい第２開口を有する筒体と、
前記第２開口から前記筒体内に挿入されると前記第１開口の近傍に到達可能な長さの棒状部分を有するとともに、前記棒状部分が前記釘と前記筒体の内壁との間に挿入されるくさび部を備えた挿入具とから構成されることを特徴とする釘取り外し具。
【考案の詳細な説明】
【技術分野】
【０００１】
本考案は、吹筒と、吹筒に装填されて吹き飛ばされる矢とを具備し、スポーツとして楽しむ吹矢において、矢の中に取り残された釘を除去するために使用される釘取り外し具に関するものである。
【背景技術】
【０００２】
スポーツ吹矢は、吹筒から矢を吹き出させる際に、瞬間的に強く腹圧をかける呼吸をするため、血液の循環がよくなることから、健康の維持改善、増進に効果的であるとされ、最近スポーツとして普及され始めており、スポーツ吹矢競技大会が開催されている。（特許文献１参照）
【０００３】
この種の吹矢の矢は、短冊状のシート材を巻いて先細りの先端に開口を有する２００ｍｍ程の円錐筒形に形成し、釘を前記開口から内部に差し込んで釘の丸い頭部を先細りの先端に露出させて接着剤により胴部を先端部分に固着して形成されている。また、矢を射る筒は、直径13ｍｍ程度、長さ５００ｍｍ〜１２００ｍｍ程度のパイプ材が使用されている。
【特許文献１】登録実用新案公報第３０５９６７５号
【考案の開示】
【考案が解決しようとする課題】
【０００４】
スポーツ吹矢は、練習中に、後に吹いた矢が、的に刺さった前の矢に重なって刺さってしまうことがある。矢にスピードがあるため、後に吹いた矢は、釘の部分が前の矢の内部に強く接合されてしまう。このような場合、前の矢は、後の矢が引き剥がされると、釘だけが中に取り残されてしまうことがよくある。このように矢の中に取り残された釘を取り外すには、矢を持って根気良くもみ出すしかなく不便であった。
【０００５】
この考案は、上記課題を解決するために、スポーツ吹矢において、矢の中に取り残された釘を容易に取り外すことのできる釘取り外し具を提供することを目的とする。
【課題を解決するための手段】
【０００６】
上記課題を解決するために、請求項１記載の考案は、スポーツ吹矢用の矢の中に取り残された釘を取り外すための釘取り外し具において、一端が先細りの円錐形であるとともに前記釘の胴部が挿通可能な第１開口を有し、他端に前記第１開口よりも径の大きい第２開口を有する筒体と、前記第２開口から前記筒体内に挿入されると前記第１開口の近傍に到達可能な長さの棒状部分を有するとともに、前記棒状部分が前記釘と前記筒体の内壁との間に挿入されるくさび部を備えた挿入具とから構成されることを特徴とする釘取り外し具である。
【考案の効果】
【０００７】
本考案の釘取り外し具によれば、スポーツ吹矢において、矢の中に取り残された釘を容易に取り外すことができる。
【考案を実施するための最良の形態】
【０００８】
以下、図面に基づいて本考案の実施の形態を説明する。
【実施例】
【０００９】
図１は、本考案に係る釘取り外し具の実施例の分解正面図、図２（ａ）は、図１の釘取り外し具の使用状態を示す正面図、図２（ｂ）は、図２（ａ）のＡ−Ａ線における拡大断面図、図３（ａ）（ｂ）（ｃ）は、図１の釘取り外し具の使用状態を説明するための矢先端部分の拡大断面図である。
【００１０】
図１において、釘取り外し具１は、釘受け筒２とその筒内に一部が収納される挿入具３とから構成されている。釘受け筒２は、一端が先細りの円錐形であって、この先細りの端部に釘４の胴部４ａが挿通可能な第１開口２ａを有するとともに、他端に第１開口２ａよりも径の大きい第２開口２ｂが設けられた筒体である。また、挿入具３は、取っ手３ａから棒状部分３ｂが突出して形成されており、棒状部分３ｂの先端は、先の細いテーパー状のくさび部３ｃとなっている。
【００１１】
次に、図２及び図３を参照して、釘取り外し具１の使い方について説明する。
【００１２】
図２（ａ）（ｂ）において、吹矢の矢５は、シート材よりなるスカート部６が先端に開口６ａを有して円錐筒に形成されている。そして、矢５の重しとなる釘４が、スカート部６の先端に丸い頭部４ａを露出させて、その胴部４ｂを開口６ａ内に収納した状態で接着剤により固着されている。
【００１３】
次に、図３（ａ）〜（ｃ）を参照して、釘取り外し具１により矢５のスカート部６の中に取り残された釘４ｅを取り外す際の手順について説明する。
【００１４】
図３（ａ）において、後の矢５ｅは、前の矢５にスカート部６後端の開口６ｂから入り込んで、重なって刺さっていたものである。前の矢５は、後の矢５ｅのスカート部６ｅを持って引き剥がした際に、後の矢５ｅの釘４ｅが、スカート部６の中に取り残された状態である。
【００１５】
図３（ｂ）において、釘受け筒２は、矢５のスカート部６後端の開口６ｂから挿入されて、先端の第１開口２ａを釘４ｅの胴部４ｆに被せて、第１開口２ａから釘４ｅを内部に差し込ませる。挿入具３は、釘受け筒２後端の第２開口２ｂから挿入されて、釘受け筒２の先端近傍の内壁と釘４ｅの胴部４ｆとの間に、棒状部分３ｂの先端に設けたテーパー状のくさび部３ｃが挿し込まれて、釘受け筒２内に釘４ｅを強固に保持する。
【００１６】
したがって、この状態で、図３（ｃ）に示すように、釘受け筒２をスカート部６から取り出すことで、釘４ｅは、挿入具３と釘受け筒２とともにスカート部６から取り外される。
【００１７】
このように、本考案の釘取り外し具によれば、スポーツ吹矢において、矢のスカート部の中に釘が取り残されている場合に、スカート部の中に釘受け筒を挿入して取り残されている釘に被せ、続いて釘受け筒の内壁と釘との間に挿入具の棒状部分先端に設けたくさび部を挿入して釘受け筒内に釘を強固に保持して釘取り外し具を取り出すことで、矢のスカート部に取り残されている釘を容易に取り外すことができる。
【００１８】
なお、本考案に係る釘取り外し具を構成する挿入具において、棒状部分は、丸棒状、角棒状のいずれでも良いが、先の形状を細いテーパー状にしたものが望ましい。また、釘取り外し具の釘受け筒２と挿入具３は、金属で形成したものが望ましいが、樹脂を成形したものでもかまわない。
【図面の簡単な説明】
【００１９】
【図１】本考案に係る釘取り外し具の実施例の分解正面図である。
【図２】（ａ）は、図１の釘取り外し具の使用状態を示す正面図、（ｂ）は、図２（ａ）のＡ−Ａ線における拡大断面図である。
【図３】（ａ）（ｂ）（ｃ）は、図１の釘取り外し具の使用状態を説明するための矢先端部分の拡大断面図である。
【符号の説明】
【００２０】
１  釘取り外し具
２  釘受け筒
２ａ  第１開口
２ｂ  第２開口
３  挿入具
３ｂ  棒状部分
３ｃ  くさび部
４，４ｅ  釘
４ａ  頭部
４ｂ，４ｆ  胴部
５，５ｅ  矢
６，６ｅ  スカート部
６ａ，６ｂ  開口
【図１】
0003128332.tif 000003
【図２】
0003128332.tif 000004
【図３】
0003128332.tif 000005